(57)【要約】【課題】ファンの冷却効率を低下させることなく冷却装置からの光漏れがを防止できる構造をもった冷却装置及びプロジェクタを提供する。。【解決手段】光源ランプ１１０を内蔵する筐体２に配設して筐体２内の光源ランプを冷却するための冷却装置７００であって、この冷却装置７００は、筐体２内から筐体２外に向かう空気流を形成する軸流ファン７１０及びこの軸流ファン７１０による空気流を排気方向に誘導するダクト７２０を有し、このダクト７２０内には、空気流の排気方向に沿う仮想中心軸線ａの回りに捩れる螺旋状の整流板７２１が配設されていることを特徴とする冷却装置。【選択図】  図１
2005031370.tif 000002
【特許請求の範囲】
【請求項１】
光源ランプを内蔵する筐体に配設して光源ランプを冷却するための冷却装置であって、
この冷却装置は、筐体内から筐体外に向かう空気流を形成する軸流ファン及びこの軸流ファンによる空気流を排気方向に誘導するダクトを有し、
このダクト内には、空気流の排気方向に沿う仮想軸線の回りに捩れる螺旋状の整流板が配設されていることを特徴とする冷却装置。
【請求項２】
請求項１に記載の冷却装置において、
前記整流板は、前記仮想軸線上に位置する芯棒に一体に形成されていることを特徴とする冷却装置。
【請求項３】
請求項１又は２に記載の冷却装置において、
前記整流板の枚数は、前記軸流ファンの補強リブの本数と同数に設定されていることを特徴とする冷却装置。
【請求項４】
請求項３に記載の冷却装置において、
前記整流板のピッチ角は、前記軸流ファンの補強リブのピッチ角と同一の角度に設定されていることを特徴とする冷却装置。
【請求項５】
請求項４に記載の冷却装置において、
前記ダクトは前記軸流ファンが空気流を排出する側に配置されていることを特徴とする冷却装置。
【請求項６】
請求項５に記載の冷却装置において、
前記整流板は、その捩れ方向が前記軸流ファンによる空気流の捩れ方向に一致するように構成されていることを特徴とする冷却装置。
【請求項７】
照明光を射出する光源ランプを有する照明光学系と、
この照明光学系から射出された照明光を複数の色光に分離する色分離光学系と、
この色分離光学系によって分離された各色光をそれぞれ変調して画像を形成する複数の電気光学変調装置と、
これら複数の電気光学変調装置から射出された変調光を合成する色合成光学系と、
この色合成光学系によって合成された画像を投写面上に投写表示する投写光学系とを備えたプロジェクタにおいて、
請求項１〜６のいずれかに記載の冷却装置をさらに備えたことを特徴とするプロジェクタ。
【請求項８】
空気流を通気方向に誘導するダクトであって、
このダクト内には、空気流の通気方向に沿う仮想軸線の回りに捩れる螺旋状の整流板が配設されていることを特徴とするダクト。
【発明の詳細な説明】
【０００１】
【発明の属する技術分野】
本発明は、冷却装置、プロジェクタ及びダクトに関する。
【０００２】
【従来の技術】
プロジェクタの光源ランプを冷却するための冷却装置においては、冷却装置からの光漏れがないことが重要である。このため、従来から、光源ランプからの光漏れを防止する構造をもった冷却装置が開示されている（特許文献１及び２参照）。
【０００３】
図６は、このうち特許文献１に開示された従来の冷却装置の一部を示す断面図である。この冷却装置は複数の遮光板８０１を上下段に配列して設け、各遮光板は光源からの水平光に沿って延びた水平片８０２と水平片８０２のファン側壁部から水平片に直交して延びた垂直片８０３と、水平片８０２のファン側壁部から水平光に対し傾いて延びた傾斜片８０４を放射状に備えている。
このため、光源から漏れる光のうち水平方向成分は垂直片８０３で、遮光板８０１の水平片８０２と垂直片８０３との間に形成される隙間から漏れる斜め方向成分は一垂直片８０３の下側にて対向する水平片８０２で遮断される。これにより光源からのどの向きの光８０５に対しても光漏れが防止される構造となっている。
【０００４】
図７は、特許文献２に開示された従来の冷却装置を示す断面図である。この冷却装置は、光源９０３とファン９０２との間にあって、リフレクタ９０３ｂの光軸に垂直な方向に平行に伸びる複数の遮光板９０４が、リフレクタ９０３ｂの光軸方向にずれて形成されている。そして、遮光板９０４の幅が、遮光板９０４間の間隙を通過して斜めに入射する光源９０３からの光が到達する位置まで伸びているため、光源ランプからの光漏れが防止される構造となっている。
【０００５】
【特許文献１】
特開平１１−１６７１６６号公報（図２）
【特許文献２】
特開２００２−３５２６２２号公報（図１）
【０００６】
【発明が解決しようとする課題】
しかしながら、特許文献１に開示された冷却装置にあっては、ファンによって送風される冷却風の通路が遮光板８０１の水平片８０２と垂直片８０３の間に形成される隙間となり、筺体の面積に対する通路面積の割合が極めて小さいため、遮光板での流路抵抗が大きくなり、このためファンの冷却効率が低いという問題があった。
【０００７】
また、特許文献２に開示された冷却装置にあっては、複数の遮光板９０４が排気方向と直角な方向に沿って、排気ダクトの流路を遮蔽するように配設されているため、やはり流路抵抗が大きくなり、このためファンの冷却効率が低いという問題があった。
【０００８】
ファンの冷却効率が低い冷却装置の場合、ファンの回転数を高くして大流量の排気流を外部に排出することが考えられるが、こうした場合には近年におけるプロジェクタの低騒音化に応じることができないという問題があった。
【０００９】
本発明は、このような問題を解決するためになされたもので、ファンの冷却効率を低下させることなく冷却装置からの光漏れがを防止できる構造をもった冷却装置及びプロジェクタを提供することを目的とする。また、これら冷却装置及びプロジェクタに好適に用いることができるダクトを提供することを目的とする。
【００１０】
【課題を解決するための手段】
（１）本発明に係る冷却装置は、光源ランプを内蔵する筐体に配設して筐体内の光源ランプを冷却するための冷却装置であって、この冷却装置は、筐体内から筐体外に向かう空気流を形成する軸流ファン及びこの軸流ファンによる空気流を排気方向に誘導するダクトを有し、このダクト内には空気流の排気方向に沿う仮想軸線の回りに捩れる螺旋状の整流板が配設されていることを特徴とする。
【００１１】
このため、本発明の冷却装置によれば、軸流ファンによって形成される空気流がダクト内の整流板に沿って排気方向に排出される。この場合、筐体内からダクトを介して筐体外に向かう空気流が整流板によってダクト内を螺旋方向に誘導されるとともに、筐体内における光源ランプからの照明光がダクト内で遮断される。
したがって、筐体内の空気流を筐体外に円滑に排出することができるとともに、照明光の筐体外への漏洩を効果的に阻止することができる。
また、従来のようにはファンの回転数を高くして排気流を排出する必要がなくなるため、近年におけるプロジェクタの低騒音化にも応じることができる。
【００１２】
（２）上記（１）に記載の冷却装置においては、前記整流板は、前記仮想軸線上に位置する芯棒に一体に形成されていることが好ましい。
このように構成されていると、芯棒を中心にして整流板が加工されるため、整流板の良好な加工性が得られる。また、整流板が芯棒を介してモータハウジング等の被取付部材に取り付けられるため、整流板の良好な取付性が得られる。
【００１３】
（３）上記（１）又は（２）に記載の冷却装置においては、前記整流板の枚数は、前記軸流ファンの補強リブの本数と同数に設定されていることが好ましい。
このように構成されていると、各補強リブ付近を通過する空気流が、各補強リブに対応する各整流板に邪魔されることなく円滑に誘導される。これにより、筐体内から筐体外に向かう空気流の排出が効率よく行われる。
【００１４】
（４）上記（３）に記載の冷却装置においては、前記整流板のピッチ角は、前記軸流ファンの補強リブのピッチ角と同一の角度に設定されていることが好ましい。
このように構成されていると、整流板と補強リブとが互いに隣接して配置されている場合には、軸流ファンから整流板に到達するまでの空気流の流動が円滑に行われる。ここで、整流板と補強リブとは、互いに仮想中心軸線方向に所定の間隔をもって配置される場合には、仮想中心軸線の回りにも所定の間隔をもって配置されることが好ましい。
【００１５】
（５）上記（４）に記載の冷却装置においては、前記ダクトは前記軸流ファンが空気流を排出する側に配置されていることが好ましい。
このように構成されていると、前記軸流ファンによる空気流がダクトに向かって円滑に流入され、さらにダクト内を整流板に沿って円滑に誘導される。
【００１６】
（６）上記（５）に記載の冷却装置においては、前記整流板は、その捩れ方向が前記軸流ファンによる空気流の捩れ方向に一致するように構成されていることが好ましい。
このように構成されていると、軸流ファンと整流板との間における空気流の圧力損失が抑制される。これにより、軸流ファンによる空気流がダクト内を整流板に沿ってさらに円滑に誘導される。
【００１７】
（７）本発明に係るプロジェクタは、照明光を射出する光源ランプを有する照明光学系と、この照明光学系から射出された照明光を複数の色光に分離する色分離光学系と、この色分離光学系によって分離された各色光をそれぞれ変調して画像を形成する複数の電気光学変調装置と、これら複数の電気光学変調装置から射出された変調光を合成する色合成光学系と、この色合成光学系によって合成された画像を投写面上に投写表示する投写光学系とを備えたプロジェクタにおいて、上記（１）〜（６）のいずれかに記載の冷却装置をさらに備えたことを特徴とする。
【００１８】
このため、本発明のプロジェクタによれば、ファンの冷却効率を低下させることなく冷却装置からの光漏れがを防止できる構造をもった冷却装置を備えているため、低騒音化に応じることのできるプロジェクタが得られる。
【００１９】
（８）本発明に係るダクトは、空気流を通気方向に誘導するダクトであって、このダクト内には、空気流の通気方向に沿う仮想軸線の回りに捩れる螺旋状の整流板が配設されていることを特徴とする。
このため、本発明のダクトによれば、空気流がダクト内の整流板に沿って通気方向に排出される。この場合、整流板によって空気流がダクト内を螺旋方向に誘導されるとともに、ダクト内で光が遮断される。その結果、プロジェクタの冷却装置に好適に用いられるダクトとなる。
【００２０】
【発明の実施の形態】
以下、本発明が適用された冷却装置，ダクト及びプロジェクタについて、図に示す実施の形態に基づいて説明する。図１は、本発明の実施形態に係るプロジェクタの光学系及び冷却装置を示す斜視図である。図２は、本発明の実施形態に係るプロジェクタの冷却装置を示す分解斜視図である。図３は、本発明の実施形態に係る冷却装置の整流板を示す斜視図である。図４は、本発明の実施形態に係るプロジェクタの光学系を示す平面図である。
【００２１】
符号１で示すプロジェクタの光学系は、図１及び図４に示されるように、照明光学系１００と、色分離光学系２００と、リレー光学系３００と、３つの液晶表示装置（電気光学変調装置）４００Ｒ，４００Ｇ，４００Ｂと、クロスダイクロイックプリズム５００と、投写光学系６００とを備え、このうち投写光学系６００を除き筐体２内に収納されている。
【００２２】
照明光学系１００は、光源ランプ１１０と、平行化レンズ１１６と、第１のレンズアレイ１２０と、第２のレンズアレイ１３０と、偏光変換素子１４０と、重畳レンズ１５０とを有している。光源ランプ１１０から射出された光束は平行化レンズ１１６により平行にされた後、第１のレンズアレイ１２０によって複数の微小な部分光束に分割され、各部分光束は第２のレンズアレイ１３０及び重畳レンズ１５０によって照明対象である３つの液晶表示装置４００Ｒ，４００Ｇ，４００Ｂの光入射面上で重畳される。
【００２３】
光源ランプ１１０は、楕円面リフレクタ１１０Ａ及び高圧水銀ランプからなる発光管１１０Ｂによって大略構成されている。なお、リフレクタ１１０Ａとしては、放物面リフレクタや球面リフレクタなどを用いることができる。また、発光管１１０Ｂとしては、メタルハライドランプやキセノンランプなどの他のランプを用いることもできる。
【００２４】
平行化レンズ１１６は、リフレクタ光軸ＯＣと平行なレンズ光軸を有する凹レンズからなり、光源ランプ１１０の被照明領域側に配設されている。そして、リフレクタ１１０Ａからのランプ光を平行化するように構成されている。
【００２５】
第１のレンズアレイ１２０及び第２のレンズアレイ１３０は、小レンズをマトリックス状に配列して形成されている。
偏光変換素子１４０は、非偏光な光を３つの液晶表示装置４００Ｒ，４００Ｇ，４００Ｂで利用可能な偏光方向を有する偏光光に揃える機能を有している。
【００２６】
色分離光学系２００は、照明光学系１００から射出される照明光を、それぞれ異なる波長域の３色の照明光に分離する機能を有している。第１のダイクロイックミラー２１０は、略青色の光（以下「Ｂ光」という。）を反射するとともに、略緑色の光（以下「Ｇ光」という。）及び略赤色の光（以下「Ｒ光」という。）を透過させる。第１のダイクロイックミラー２１０で反射されたＢ光は、反射ミラー２３０でさらに反射され、フィールドレンズ２４０Ｂを透過してＢ用の液晶表示装置４００Ｂを照明する。
【００２７】
フィールドレンズ２４０Ｂは、照明光学系１００からの複数の部分光束がそれぞれ液晶表示装置４００Ｂを照明するように集光する。通常、各部分光束が、それぞれ略平行な光束となるように設定されている。他の液晶表示装置４００Ｇ，４００Ｒの前に配設されたフィールドレンズ２４０Ｇ，３５０も、フィールドレンズ２４０Ｂと同様に構成されている。
【００２８】
第１のダイクロイックミラー２１０を透過したＧ光とＲ光のうちＧ光は、第２のダイクロイックミラー２２０によって反射され、フィールドレンズ２４０Ｇを透過してＧ用の液晶表示装置４００Ｇを照明する。一方、Ｒ光は、第２のクロイックミラー２２０を透過し、リレー光学系３００を通過してＲ用の液晶表示装置４００Ｒを照明する。
【００２９】
リレー光学系３００は、入射側レンズ３１０，入射側反射ミラー３２０，リレーレンズ３３０，射出側反射ミラー３４０及びフィールドレンズ３５０を有している。色分離光学系２００から射出されたＲ光は、入射側レンズ３１０によってリレーレンズ３３０の近傍で収束し、フィールドレンズ３５０（及び射出側反射ミラー３４０）に向かって発散する。フィールドレンズ３５０に入射する光束の大きさは、入射側レンズ３１０に入射する光束の大きさに略等しくなるように設定されている。
【００３０】
各色用の液晶表示装置４００Ｒ，４００Ｇ，４００Ｂは、それぞれの光入射面に入射した色光を、それぞれに対応する色信号（画像信号）に応じた光に変換し、これら変換された光を透過光として射出する。これら液晶表示装置４００Ｒ，４００Ｇ，４００Ｂの入射側には入射側偏光板９１８Ｒ，９１８Ｇ，９１８Ｂがそれぞれ配置され、射出側には射出側偏光板９２０Ｒ，９２０Ｇ，９２０Ｂがそれぞれ配置されている。液晶表示装置４００Ｒ，４００Ｇ，４００Ｂとしては、透過型の液晶表示装置が用いられる。
【００３１】
クロスダイクロイックプリズム５００は、各色用の液晶表示装置４００Ｒ，４００Ｇ，４００Ｂから射出される各色の変換光を合成する色合成光学系としての機能を有する。そして、Ｒ光を反射するＲ光反射ダイクロイック面５１０Ｒと、Ｂ光を反射するＢ光反射ダイクロイック面５１０Ｂとを有している。Ｒ光反射ダイクロイック面５１０Ｒ及びＢ光反射ダイクロイック面５１０Ｂは、Ｒ光を反射する誘電体多層膜とＢ光を反射する誘電体多層膜とを４つの直角プリズムの界面に略Ｘ字状に形成することにより設けられている。これら両反射ダイクロイック面５１０Ｒ，５１０Ｂによって３色の変換光が合成され、カラー画像を表示する光が生成される。クロスダイクロイックプリズム５００において生成された合成光は、投写光学系６００に向かって射出される。
【００３２】
投写光学系６００は、クロスダイクロイックプリズム５００からの合成光を表示画像としてスクリーン（投写画）上に投写表示するように構成されている。
【００３３】
本実施形態に係るプロジェクタ１においては、図２に示されるように、投写光学系６００の側方に冷却装置７００が配設されている。
この冷却装置７００は、軸流ファン７１０及びダクト７２０からなり、図１に示されるように、筐体２に取り付けられている。そして、筐体２内の光源ランプ１１０（図４に図示）を冷却するように構成されている。
軸流ファン７１０は、ファン取付用枠７１１，モータ７１２及び回転翼（図示せず）を有し、筐体２に配設されている。そして、回転翼の回転によって筐体２内から筐体２外に向かう空気流（排気流）を形成するように構成されている。
【００３４】
ファン取付用枠７１１は、四角形状の枠体によって形成されている。ファン取付用枠７１１の内面には、円形状の貫通窓７１１ａを有する壁部７１１Ａが設けられている。
モータ７１２は、回転翼に回転力を付与するモータ部（図示せず）及びこのモータ部を収納するモータハウジング７１２Ａからなり、ファン取付用枠７１１内における貫通窓７１１ａの仮想中心軸線ａ（空気流の排気方向に沿う仮想軸線）上に配置され、かつ壁部７１１Ａに４個のモータ取付用部材７１４を介して取り付けられている。モータ取付用部材７１４は、ファン取付用枠７１１の補強リブとして機能し、円周方向に等間隔（９０°）をもって並列する位置に配置されている。
【００３５】
ダクト７２０は、軸流ファン７１０の仮想軸線（仮想中心軸線ａ）方向に開口する吸気口７２０Ａ及び排気口７２０Ｂを有する略四角状の筒体からなり、ファン取付用枠７１１の排気側に取り付けられている。そして、軸流ファン７１０による空気流を排気方向に誘導するように構成されている。ダクト７２０内には、仮想中心軸線ａの回りに捩れる螺旋状の整流板７２１が配設されている。
【００３６】
整流板７２１は、図２及び図３に示されるように、仮想中心軸線ａ上に位置する４枚（条）の整流板からなり、仮想中心軸線上に中心を持つ芯棒７２２に一体に形成されたダクト７２０内に配設されている。軸流ファン７１０とダクト７２０は、ねじ止めによって取り付けられ、この状態でモータの回転中心軸（仮想中心軸線ａ）と芯棒７２２の中心軸が一致するようになっている。これにより、モータハウジング７１２Ａに対する整流板７２１の良好な取付性が得られる。また、整流板７２１が４枚であることは、モータ取付用部材７１４の個数と同数であるため、ファン駆動時にモータ取付用部材７１４付近を通過する空気流が整流板７２１（４個のモータ取付用部材７１４にそれぞれ対応する整流板７２１）によって円滑に誘導され、空気流のダクト７２０外への排出が効率よく行われる。そして、整流板７２１は、その捩れ方向が軸流ファン７１０による空気流の捩れ方向に一致するように構成されている。これにより、軸流ファン７１０と整流板７２１との間における空気流の圧力損失が抑制され、軸流ファン７１０による空気流がダクト７２０内を整流板７２１に沿って円滑に誘導される。
【００３７】
各整流板７２１は、円周方向（仮想中心軸線ａの回り）に等間隔（９０°）をもって並列する位置に配置され、かつ芯棒７２２の外周面に一体に形成されている。これにより、各整流板７２１が芯棒７２２に中心にして加工されるため、整流板７２１の良好な加工性が得られる。また、４枚の整流板７２１は、それぞれが対応するモータ取付用部材７１４に対し、仮想中心軸線ａの方向に所定の直線距離をもって、また、それぞれ同じピッチ角（９０度）をもつ取付用部材７１４と整流板７２１は、相対的な角度差θをもって、配置されている。この角度差θは、軸流ファン７１０から排出され捩れをもつ空気流が前述の直線距離だけ進むときの捩れる角度と等しく設定されている。これにより、空気流にとっての抵抗となる取付用部材７１４と整流板７２１とは空気流にとって、ほぼ同一位置の壁となるため、その抵抗を最小限に抑えることができ、空気流の流動が円滑に行われる。
さらに、それぞれの整流板７２１は約３００度程度の捩れ角をもっており、これが４枚、等間隔（９０度のピッチ角）で配置されているため、吸気口７２０Ａ、排気口７２０Ｂのどちらからも反対側を素通しで見通すことはできない構造となっている。これにより、光源ランプからの漏れ光を排気側へ漏らさない遮光装置が実現されている。
【００３８】
芯棒７２２は、上流側（ダクト吸気口側端部）から下流側（ダクト排気口側端部）に向かって漸次小さくなる外径をもつ截頭円錐形状の丸棒によって形成されている。これにより、ダクト７２２における排気口７２０Ｂの開口率が高くなり、それだけ単位時間当たりの排気風量が多くなる。芯棒７２２のダクト吸気口側端部には、モータハウジング７１２Ａに対する扁平な取付面７２２Ａが形成されている。
【００３９】
以上の構成により、本実施形態に係るプロジェクタは、図１に示されるように、軸流ファン７１０によって形成される空気流がダクト７２０内の整流板７２１に沿って排気方向に排出される。この場合、筐体２内からダクト７２０を介して筐体２外に向かう空気流が整流板７２１によってダクト７２０内を螺旋方向に誘導されるとともに、筐体２内における光源ランプ１１０（図４に図示）からの照明光がダクト７２０内で遮断される。
【００４０】
したがって、本実施形態においては、筐体２内の空気流を筐体２外に円滑に排出することができるとともに、照明光の筐体２外への漏洩を阻止することができる。これにより、従来のようにはファンの回転数を高くして排気流を排出する必要がないため、近年における低騒音化に応じることができる。
【００４１】
ここで、流体解析ツールによるシミュレーションの実施によって本実施形態におけるプロジェクタと特許文献２に開示されたものと同様の構造をもつプロジェクタ（く字型の整流板をもつプロジェクタ）との各ダクト出口（排気口）から排出される空気流の風速を、各ダクト入口（吸気口）での圧力を一定にして測定比較した結果を、図５（ａ）及び（ｂ）に示す。
【００４２】
図５（ａ）は、本実施形態に係るプロジェクタのダクト出口付近における断面での風速分布状態を示す図である。図５（ｂ）は、従来のプロジェクタのダクト出口付近における断面での風速分布状態を示す図である。なお、図５（ａ）及び（ｂ）において、最外の太線で囲まれた領域は開口部（空気流の通過領域）を、また同種の線で囲まれた領域は同一の風速を示す。
【００４３】
これによると、開口部の外側（壁部）から内側（開口中央部）に向かう程風速が高いことが確認された。
すなわち、図５（ａ）に示す本実施形態におけるプロジェクタにおいては、１点鎖線で囲まれた領域（領域Ｉ）の風速が最も大きく、次に１点鎖線と２点鎖線とで囲まれた領域（領域ＩＩ）の風速が大きく、２点鎖線と破線とで囲まれた領域（領域ＩＩＩ）の風速が３番目となり、破線と細線とで囲まれた領域（領域ＩＶ）の風速が４番目となり、細線と太線とで囲まれた領域（領域Ｖ）の風速が最も小さい。
一方、図５（ｂ）に示す従来におけるプロジェクタにおいては、２点鎖線で囲まれた領域（領域ＩＩ）の風速が最も大きく、次に２点鎖線と破線とで囲まれた領域（領域ＩＩＩ）の風速が大きく、破線と細線で囲まれた領域（領域ＩＶ）の風速が３番目となり、細線と太線とで囲まれた領域（領域Ｖ）の風速が最も小さい。
【００４４】
また、本実施形態のプロジェクタにおいては、従来のプロジェクタと比べ、空気流の通過する領域の開口面積が広い（特に、最大風速である領域の面積が広い）ため、これら領域を通過する空気流の風量（開口面積に比例して増加）が多いという利点もある。このことは、空気流の通過領域がモータ取付用部材７１４によって４分割されているだけである（従来のプロジェクタでは、７枚の整流板によって８分割されている）ため、開口面積が比較的広く（したがって、流路抵抗が小さく）なっていることからも理解される。
【００４５】
なお、本実施形態においては、ダクト７２０が筐体２に軸流ファン７１０（ファン取付用枠７１１）を介して取り付けられる構造について説明したが、本発明はこれに限定されず、軸流ファンの駆動によって発生する騒音が小さい場合には軸流ファンが筐体にダクトを介して取り付けられる構造としてもよい。
【図面の簡単な説明】
【図１】本発明のプロジェクタの光学系及び冷却装置を示す斜視図。
【図２】本発明のプロジェクタの冷却装置を示す分解斜視図。
【図３】本発明の冷却装置の整流板を示す斜視図。
【図４】本発明のプロジェクタの光学系を示す平面図。
【図５】ダクト出口付近における断面での風速分布状態を示す図。
【図６】従来の冷却装置の一部を示す断面図。
【図７】従来の冷却装置を示す断面図。
【符号の説明】
１  光学系、２  筐体、１００  照明光学系、１１０  光源ランプ、２００  色分離光学系、３００  リレー光学系、４００Ｒ，４００Ｇ，４００Ｂ  液晶表示装置、５００  クロスダイクロイックプリズム、６００  投写光学系、７００冷却装置、７１０  軸流ファン、７１１  ファン取付用枠、７１１Ａ  壁部、７１１ａ  貫通窓、７１２  モータ、７１２Ａ  モータハウジング、７１４  モータ取付用部材、７２０  ダクト、７２０Ａ  吸気口、７２０Ｂ  排気口、７２１  整流板、７２２  芯棒、７２２Ａ  取付面、ａ  仮想中心軸線
【図１】
2005031370.tif 000003
【図２】
2005031370.tif 000004
【図３】
2005031370.tif 000005
【図４】
2005031370.tif 000006
【図５】
2005031370.tif 000007
【図６】
2005031370.tif 000008
【図７】
2005031370.tif 000009